(57)【要約】【課題】厚手で長尺な段ボールシートやプラスチックシートや発泡スチロールシートなどであっても良好に罫線を形成することができる罫線形成装置を提供すること。【解決手段】本発明では、シート（段ボールシート１）に折曲用の罫線（２）を形成するための罫線形成装置において、シート（段ボールシート１）の罫線（２）を形成する位置に沿って移動することでシート（段ボールシート１）に罫線（２）となるＶ字状の溝のそれぞれの辺を形成するための２個の切断刃体（７，８）を有することにした。また、本発明では、前記２個の切断刃体（７，８）は、移動する方向に沿って前後にずらして配置することにした。さらに、本発明では、前記２個の切断刃体（７，８）は、それぞれの刃先が交差するように配置することにした。【選択図】図２
2019107744.tif 000002
【特許請求の範囲】
【請求項１】
シートに折曲用の罫線を形成するための罫線形成装置において、
シートの罫線を形成する位置に沿って移動することでシートに罫線となるＶ字状の溝のそれぞれの辺を形成するための２個の切断刃体を有することを特徴とする罫線形成装置。
【請求項２】
前記２個の切断刃体は、移動する方向に沿って前後にずらして配置したことを特徴とする請求項１に記載の罫線形成装置。
【請求項３】
前記２個の切断刃体は、それぞれの刃先が交差するように配置したことを特徴とする請求項２に記載の罫線形成装置。
【発明の詳細な説明】
【技術分野】
【０００１】
本発明は、段ボールシートやプラスチックシートや発泡スチロールシートなどに折曲用の罫線を形成するための罫線形成装置に関するものである。
【背景技術】
【０００２】
従来より、梱包用の容器としては、軽量でありながら強度や衝撃吸収性などに優れていることから、段ボール箱が広く利用されている。
【０００３】
この段ボール箱は、段ボールシートの折曲箇所に直線溝状の罫線を形成した後に、その罫線に沿って段ボールシートを折曲することによって、容易に箱型状に組み立てることができるようになっている。
【０００４】
この段ボールシートに折曲用の罫線を形成する工程においては、罫線形成装置が用いられている。
【０００５】
従来の罫線形成装置では、先端に凸部を設けた押圧具で段ボールシートの表面を線状に押圧することで、段ボールシートに罫線となる凹状溝を形成するように構成されている（たとえば、特許文献１参照。）。
【先行技術文献】
【特許文献】
【０００６】
【特許文献１】特開２０１７−１３８９７号公報
【発明の概要】
【発明が解決しようとする課題】
【０００７】
梱包用の容器として用いられている段ボール箱で使用される段ボールシートとしては、用途などに応じて様々な厚さのものが用いられており、しかも、輸出梱包用等においては緩衝性に特に優れたトリプルウォール等の表裏のライナ―の間に何枚かの中間ライナーを追加したかなり厚手で長尺の段ボールシートが用いられている。
【０００８】
ところが、上記従来の罫線形成装置では、先端に凸部を設けた押圧具で段ボールシートの表面に凹状の罫線を形成しているために、厚手で長尺の段ボールシートに対して深い凹状溝からなる罫線を良好に形成することができず、段ボールシートを罫線で良好に折曲することができないという問題があった。
【課題を解決するための手段】
【０００９】
そこで、請求項１に係る本発明では、シートに折曲用の罫線を形成するための罫線形成装置において、シートの罫線を形成する位置に沿って移動することでシートに罫線となるＶ字状の溝のそれぞれの辺を形成するための２個の切断刃体を有することにした。
【００１０】
また、請求項２に係る本発明では、前記請求項１に係る本発明において、前記２個の切断刃体は、移動する方向に沿って前後にずらして配置することにした。
【００１１】
また、請求項３に係る本発明では、前記請求項２に係る本発明において、前記２個の切断刃体は、それぞれの刃先が交差するように配置することにした。
【発明の効果】
【００１２】
そして、本発明では、以下に記載する効果を奏する。
【００１３】
すなわち、本発明では、シートに折曲用の罫線を形成するための罫線形成装置において、シートの罫線を形成する位置に沿って移動することでシートに罫線となるＶ字状の溝のそれぞれの辺を形成するための２個の切断刃体を有することにしているために、厚手で長尺の段ボールシートやプラスチックシートや発泡スチロールシートであっても２個の切断刃体でＶ溝状の罫線を良好に形成することができ、シートの折曲作業を容易なものとすることができる。
【００１４】
特に、２個の切断刃体を移動する方向に沿って前後にずらして配置した場合には、罫線の形成時（切断刃体による切断時）に切断刃体からシートにかかる圧力を前後に分散させることができ、シートを切断刃体でＶ溝状に円滑に切断することができる。
【００１５】
また、２個の切断刃体のそれぞれの刃先が交差するように配置した場合には、Ｖ溝状の角部に切断かすが形成されることが無く、シャープなＶ溝状の罫線を円滑に形成することができてシートの折曲作業をより一層容易なものとすることができるとともに、シートを組み立てた段ボール箱の内部に切断かすが誤って混入してしまうのを防止することができる。
【図面の簡単な説明】
【００１６】
【図１】段ボールシートの罫線を示す説明図。
【図２】罫線形成装置の要部を示す正面図。
【図３】罫線形成装置の要部を示す側面図。
【発明を実施するための形態】
【００１７】
以下に、本発明に係る罫線形成装置の具体的な構成について図面を参照して説明する。
【００１８】
本発明に係る罫線形成装置は、図１に示すように、段ボールシート１の所定位置（図１（ａ）中の一点鎖線で示す位置）に直線状の罫線２を形成し（図１（ｂ）参照。）、その罫線２で段ボールシート１を折曲する（図１（ｃ）参照。）ことができるようにするものである。なお、以下の説明では、折曲用の罫線２を形成するシートとして段ボールシート１を用いた場合について説明するが、本発明は、紙製やプラスチック製の段ボールシート１に限られずプラスチックシートや発泡スチロールシートなどのシート（板状体）に折曲用の罫線２を形成するために用いられる罫線形成装置にも適用することができる。
【００１９】
この罫線形成装置では、図２及び図３に示すように、罫線形成具３を段ボールシート１の罫線２を形成する位置に沿って移動させることで、段ボールシート１に罫線２を形成するようにしている。なお、罫線形成具３は、段ボールシート１に対して相対的に移動させることができればよく、固定（静止）した段ボールシート１に対して罫線形成具３を移動させてもよく、また、固定（静止）した罫線形成具３に対して段ボールシート１を移動させてもよい。以下の説明では、罫線形成具３の段ボールシート１に対する相対的な移動方向（図２において左側方向）を前方としている。
【００２０】
罫線形成具３は、ブラケット４の左右にホルダー5,6を前後にずらしてそれぞれ着脱可能に取付け、各ホルダー5,6に切断刃体7,8を抑え板9,10で挟持した状態で着脱可能（交換可能）に取付けている。
【００２１】
なお、ここでは、左側のホルダー５を右側のホルダー６よりも前側にずらすことで左側の切断刃体７を右側の切断刃体８よりも前側に位置させているが、右側の切断刃体８を左側の切断刃体７よりも前側に位置させてもよい。また、各ホルダー5,6の前後のずれ量（左右の切断刃体7,8の前後の間隔）を調節できるようにしてもよい。
【００２２】
この罫線形成具３では、対向するホルダー5,6の下端部を外側から内側に向けて下方に傾斜させており、その傾斜面に切断刃体7,8を取付けることで、２個の切断刃体7,8を刃先（下端）に向かうにつれて水平間隔が狭くなるように傾斜させて正面視でＶ字状に配置している。左右の切断刃体7,8は、上端から下端に向けて後方にも傾斜させた状態でホルダー5,6に取付けている。
【００２３】
なお、ここでは、左側の切断刃体７を水平に載置した段ボールシート１に対して刃先が内側（正面視で右側）下方に45度で傾斜させて配置するとともに、右側の切断刃体８を水平に載置した段ボールシート１に対して刃先が内側（正面視で左側）下方に45度で傾斜させて配置して、正面視で頂角（下端の角度）が90度となるＶ字溝状の罫線２を形成するようにしている。
【００２４】
また、罫線形成具３では、各切断刃体7,8に長孔11,12を形成することで各切断刃体7,8の下方への張出量（長さ）を調節することができるようになっており、２個の切断刃体7,8の刃先（下端）が正面視で交差するように配置している（図２（ｂ）参照。）。
【００２５】
なお、ここでは、２個の切断刃体7,8の下方への張出量を調節して、２個の切断刃体7,8によって段ボールシート１の表側のライナー13と中間のライナ―14,15を切断することができ、一方、２個の切断刃体7,8によって段ボールシート１の裏側のライナ―16を切断することができないようにしている。
【００２６】
そして、罫線形成装置では、台上等に載置した段ボールシート１に対して罫線形成具３を相対的に直線状に移動させることによって、前後にずらすとともに刃先を交差させた２個の切断刃体7,8を同時に移動させ、２個の切断刃体7,8で段ボールシート１の裏側のライナ―16を残して表面側を切断して罫線２となるＶ字状の溝を形成するようにしている。すなわち、Ｖ字状の溝からなる罫線２の左側の斜辺を左側の切断刃体７で形成（切断）するとともに、罫線２の右側の斜辺を右側の切断刃体８で形成（切断）している。段ボールシート１にＶ溝状の罫線２を形成する際には、２個の切断刃体7,8を下端で連結した正面視でＶ字型の刃体で段ボールシート１を切断することも考えられるが、切断時に移動する刃体が抵抗を受けた場合に刃体の逃げがなく罫線２を円滑に形成することができなくなるおそれがあるが、２個の切断刃体7,8でＶ字状の溝のそれぞれの辺を切断することで、切断時に抵抗を受けてもそれぞれの切断刃体7,8が逃げる余裕があり、しかも、それぞれの切断刃体7,8が前後にずれており、さらに、２個の切断刃体7,8の刃先が交差しているために、罫線２を円滑に形成することができる。
【００２７】
なお、２個の切断刃体7,8の前後のずれ量や傾斜角度や下方への張出量は、罫線２を形成する段ボールシート１の素材や厚みなどに応じて適宜調節することにしている。
【００２８】
以上に説明したように、上記罫線形成装置は、シート（段ボールシート１）の罫線２を形成する位置に沿って移動することで段ボールシート１に罫線２となるＶ字状の溝のそれぞれの辺を形成するための２個の切断刃体7,8を有する構成となっている。
【００２９】
そのため、上記構成の罫線形成装置では、トリプルウォール等の厚手で長尺の段ボールシート１やプラスチックシートや発泡スチロールシートなどであっても２個の切断刃体7,8でＶ溝状の罫線２を良好に形成することができ、これにより、段ボールシート１の折曲作業を容易なものとすることができる。
【００３０】
また、上記罫線形成装置は、２個の切断刃体7,8を移動する方向に沿って前後にずらして配置した構成となっている。
【００３１】
そのため、上記構成の罫線形成装置では、罫線２の形成時（切断刃体7,8による切断時）に切断刃体7,8から段ボールシート１にかかる圧力を前後に分散させることができ、段ボールシート１を切断刃体7,8でＶ溝状に円滑に切断することができる。
【００３２】
また、上記罫線形成装置は、２個の切断刃体7,8のそれぞれの刃先が交差するように配置した構成となっている。
【００３３】
そのため、上記構成の罫線形成装置では、罫線２のＶ溝状の角部に切断かすが形成されることが無く、シャープなＶ溝状の罫線２を円滑に形成することができて段ボールシート１の折曲作業をより一層容易なものとすることができるとともに、段ボールシート１を組み立てた段ボール箱の内部に切断かすが誤って混入してしまうのを防止することができる。
【符号の説明】
【００３４】
１  段ボールシート                      ２  罫線
３  罫線形成具                          ４  ブラケット
5,6  ホルダー                           7,8  切断刃体
9,10  抑え板                            11,12  長孔
13,14,15,16  ライナー
【図１】
2019107744.tif 000003
【図２】
2019107744.tif 000004
【図３】
2019107744.tif 000005